【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
１つまたは複数の他のＵＥが使用するために利用可能な仮想セルＩＤのサブセットを判断することと、前記サブセットがセルＩＤを含み、仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、
前記ＰＲＢ中で前記ＵＥに送信された少なくとも１つのダウンリンクチャネルの処理を向上させるために前記ブラインド検出または前記ブラインド復号の結果を使用することと
を備える、方法。
【請求項２】
前記ＰＲＢ中で前記ＵＥに送信された少なくとも１つのダウンリンクチャネルの処理を向上させるために前記ブラインド検出または前記ブラインド復号の結果を使用することが、前記少なくとも１つのダウンリンクチャネルを処理するときに雑音推定を実行するために前記結果を使用することを備える、請求項１に記載の方法、または、
前記ＰＲＢ中で前記ＵＥに送信された少なくとも１つのダウンリンクチャネルの処理を向上させるために前記ブラインド検出または前記ブラインド復号の結果を使用することが、前記他のＵＥのうちの１つまたは複数を対象とする１つまたは複数のダウンリンクチャネルから干渉を消去するために前記結果を使用することを備える、請求項１に記載の方法。
【請求項３】
前記ダウンリンクチャネルが物理ダウンリンク共有チャネル（ＰＤＳＣＨ）を備える、請求項１に記載の方法、または、
前記ダウンリンクチャネルが物理ダウンリンク制御チャネル（ＰＤＣＣＨ）を備える、請求項１に記載の方法、
特に、ここにおいて、
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される。
【請求項４】
仮想セルＩＤの前記サブセットに基づいて復調基準信号（ＤＭ−ＲＳ）シーケンスを生成することと、
前記ＰＲＢ中の対応するＤＭ−ＲＳシーケンスを検出するために前記ブラインド検出または前記ブラインド復号を実行することと
をさらに備える、請求項１に記載の方法、または、
仮想セルＩＤの前記使用が可能にされるか否かを示すシグナリングを受信すること
をさらに備える、請求項１に記載の方法。
【請求項５】
仮想セルＩＤのサブセットを判断することは、
前記ＵＥと前記他のＵＥとが使用し得る仮想セルＩＤの１つまたは複数のセットのブロードキャストを受信すること、または、
物理セルＩＤに基づいて前記サブセット中の仮想ＩＤを導出すること
を備える、請求項１に記載の方法。
【請求項６】
仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える、請求項１に記載の方法。
【請求項７】
ブラインド検出またはブラインド復号のうちの少なくとも１つを実行するために仮想セルＩＤの前記サブセットを使用することが、チャネル状態情報基準信号（ＣＳＩ−ＲＳ）を検出するために仮想セルＩＤの前記サブセットを使用することを備える、請求項１に記載の方法。
【請求項８】
ユーザ機器（ＵＥ）によるワイヤレス通信のための装置であって、
１つまたは複数の他のＵＥが使用するために利用可能な仮想セルＩＤのサブセットを判断するための手段と、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用するための手段と、
前記ＰＲＢ中で前記ＵＥに送信された少なくとも１つのダウンリンクチャネルの処理を向上させるために前記ブラインド検出または前記ブラインド復号の結果を使用するための手段と
を備える、装置。
【請求項９】
前記ＰＲＢ中で前記ＵＥに送信された少なくとも１つのダウンリンクチャネルの処理を向上させるために前記ブラインド検出または前記ブラインド復号の結果を使用するための前記手段が、前記少なくとも１つのダウンリンクチャネルを処理するときに雑音推定を実行するために前記結果を使用するための手段を備える、請求項８に記載の装置、または、
前記ＰＲＢ中で前記ＵＥに送信された少なくとも１つのダウンリンクチャネルの処理を向上させるために前記ブラインド検出または前記ブラインド復号の結果を使用するための手段が、前記他のＵＥのうちの１つまたは複数を対象とする１つまたは複数のダウンリンクチャネルから干渉を消去するために前記結果を使用するための手段を備える、請求項８に記載の装置。
【請求項１０】
前記ダウンリンクチャネルが物理ダウンリンク共有チャネル（ＰＤＳＣＨ）を備える、請求項８に記載の装置、または、
前記ダウンリンクチャネルが物理ダウンリンク制御チャネル（ＰＤＣＣＨ）を備える、請求項８に記載の装置、
特に、ここにおいて、
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される。
【請求項１１】
仮想セルＩＤの前記サブセットに基づいて復調基準信号（ＤＭ−ＲＳ）シーケンスを生成するための手段と、
前記ＰＲＢ中の対応するＤＭ−ＲＳシーケンスを検出するために前記ブラインド検出または前記ブラインド復号を実行するための手段と
をさらに備える、請求項８に記載の装置、または、
仮想セルＩＤの前記使用が可能にされるか否かを示すシグナリングを受信するための手段
をさらに備える、請求項８に記載の装置。
【請求項１２】
仮想セルＩＤのサブセットを判断するための手段が、
前記ＵＥと前記他のＵＥとが使用し得る仮想セルＩＤの１つまたは複数のセットのブロードキャストを受信するための手段
を備える、請求項８に記載の装置、
特に、ここにおいて、仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットと
を備える。
【請求項１３】
仮想セルＩＤのサブセットを判断するための手段が、物理セルＩＤに基づいて前記サブセット中の仮想ＩＤを導出するための手段を備える、請求項８に記載の装置、または、
ブラインド検出またはブラインド復号のうちの少なくとも１つを実行するために仮想セルＩＤの前記サブセットを使用するための手段が、チャネル状態情報基準信号（ＣＳＩ−ＲＳ）を検出するために仮想セルＩＤの前記サブセットを使用するための手段を備える、請求項８に記載の装置。
【請求項１４】
ユーザ機器（ＵＥ）によるワイヤレス通信のための装置であって、前記様々な手段が、少なくとも１つのプロセッサと、前記少なくとも１つのプロセッサに結合されたメモリとによって実装される、装置。
【請求項１５】
コンピュータ上で実行されると、請求項１乃至７のうちのいずれか１つに記載されたステップを実行するための命令を記憶したコンピュータ可読媒体を備えるコンピュータプログラム製品。
【手続補正２】
【補正対象書類名】明細書
【補正対象項目名】００５９
【補正方法】変更
【補正の内容】
【００５９】
[0064]本開示についての以上の説明は、当業者が本開示を作成または使用することができるようにするために提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ユーザ機器（ＵＥ）によるワイヤレス通信のための方法であって、
１つまたは複数の他のＵＥが使用するために利用可能な仮想セルＩＤのサブセットを判断することと、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、
前記ＰＲＢ中で前記ＵＥに送信された少なくとも１つのダウンリンクチャネルの処理を向上させるために前記ブラインド検出または前記ブラインド復号の結果を使用することとを備える、方法。
［Ｃ２］
前記ＰＲＢ中で前記ＵＥに送信された少なくとも１つのダウンリンクチャネルの処理を向上させるために前記ブラインド検出または前記ブラインド復号の結果を使用することが、前記少なくとも１つのダウンリンクチャネルを処理するときに雑音推定を実行するために前記結果を使用することを備える、Ｃ１に記載の方法。
［Ｃ３］
前記ＰＲＢ中で前記ＵＥに送信された少なくとも１つのダウンリンクチャネルの処理を向上させるために前記ブラインド検出または前記ブラインド復号の結果を使用することが、
前記他のＵＥのうちの１つまたは複数を対象とする１つまたは複数のダウンリンクチャネルから干渉を消去するために前記結果を使用することを備える、Ｃ１に記載の方法。
［Ｃ４］
前記ダウンリンクチャネルが物理ダウンリンク共有チャネル（ＰＤＳＣＨ）を備える、Ｃ１に記載の方法。
［Ｃ５］
前記ダウンリンクチャネルが物理ダウンリンク制御チャネル（ＰＤＣＣＨ）を備える、Ｃ１に記載の方法。
［Ｃ６］
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される、Ｃ５に記載の方法。
［Ｃ７］
仮想セルＩＤの前記サブセットに基づいて復調基準信号（ＤＭ−ＲＳ）シーケンスを生成することと、
前記ＰＲＢ中の対応するＤＭ−ＲＳシーケンスを検出するために前記ブラインド検出または前記ブラインド復号を実行することとをさらに備える、Ｃ１に記載の方法。
［Ｃ８］
仮想セルＩＤの前記使用が可能にされるか否かを示すシグナリングを受信することをさらに備える、Ｃ１に記載の方法。
［Ｃ９］
仮想セルＩＤのサブセットを判断することは、
前記ＵＥと前記他のＵＥとが使用し得る仮想セルＩＤの１つまたは複数のセットのブロードキャストを受信することを備える、Ｃ１に記載の方法。
［Ｃ１０］
仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットとを備える、Ｃ１に記載の方法。
［Ｃ１１］
仮想セルＩＤのサブセットを判断することが、
物理セルＩＤに基づいて前記サブセット中の仮想ＩＤを導出することを備える、Ｃ１に記載の方法。
［Ｃ１２］
ブラインド検出またはブラインド復号のうちの少なくとも１つを実行するために仮想セルＩＤの前記サブセットを使用することが、チャネル状態情報基準信号（ＣＳＩ−ＲＳ）を検出するために仮想セルＩＤの前記サブセットを使用することを備える、Ｃ１に記載の方法。
［Ｃ１３］
基地局によるワイヤレス通信のための方法であって、
１つまたは複数のＵＥが使用するために利用可能な仮想セルＩＤのサブセットをシグナリングすることと、前記サブセットが仮想セルＩＤのより大きいセットから選択される、
前記サブセットから選択された仮想ＩＤを用いて１つまたは複数の個々のＵＥを構成することと、
前記選択された仮想ＩＤを使用して、同じ物理リソースブロック（ＰＲＢ）中の複数のＵＥのためのダウンリンクチャネルを多重化することとを備える、方法。
［Ｃ１４］
前記ダウンリンクチャネルが物理ダウンリンク共有チャネル（ＰＤＳＣＨ）を備える、Ｃ１３に記載の方法。
［Ｃ１５］
前記ダウンリンクチャネルが物理ダウンリンク制御チャネル（ＰＤＣＣＨ）を備える、Ｃ１３に記載の方法。
［Ｃ１６］
前記ダウンリンクチャネルは、各々が前記ＰＲＢの小部分のみを占有する拡張ＰＤＣＣＨ（ｅＰＤＣＣＨ）を備える、Ｃ１４に記載の方法。
［Ｃ１７］
前記選択された仮想セルＩＤに基づいて復調基準信号（ＤＭ−ＲＳ）シーケンスを生成することと、
前記ダウンリンクチャネルとともに前記ＤＭ−ＲＳシーケンスを送信することとをさらに備える、Ｃ１３に記載の方法。
［Ｃ１８］
仮想セルＩＤの前記使用が可能にされるか否かを示すシグナリングを送信することをさらに備える、Ｃ１３に記載の方法。
［Ｃ１９］
前記シグナリングすることが、
仮想セルＩＤのサブセットをブロードキャストすることを備える、Ｃ１３に記載の方法。
［Ｃ２０］
仮想ＩＤの１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットとを備える、Ｃ１９に記載の方法。
［Ｃ２１］
物理セルＩＤに基づいて前記サブセット中の仮想ＩＤを導出することをさらに備える、Ｃ１３に記載の方法。
［Ｃ２２］
仮想セルＩＤの前記サブセットは、異なるセル中のＵＥが使用するために利用可能な仮想セルＩＤを備える、Ｃ２１に記載の方法。
［Ｃ２３］
前記選択された仮想ＩＤを使用してチャネル状態情報基準信号（ＣＳＩ−ＲＳ）を送信することをさらに備える、Ｃ１３に記載の方法。
［Ｃ２４］
前記同じＰＲＢ中の異なるＵＥのための送信が、共通仮想セルＩＤまたは仮想セルＩＤの共通セットからの仮想セルＩＤのうちの少なくとも１つを使用する、Ｃ１３に記載の方法。
［Ｃ２５］
仮想セルＩＤに関する情報を他の基地局と交換することと、
交換された前記情報に基づいて仮想セルＩＤの使用を調整することとをさらに備える、Ｃ１３に記載の方法。
［Ｃ２６］
ユーザ機器（ＵＥ）によるワイヤレス通信のための装置であって、
１つまたは複数の他のＵＥが使用するために利用可能な仮想セルＩＤのサブセットを判断するための手段と、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用するための手段と、
前記ＰＲＢ中で前記ＵＥに送信された少なくとも１つのダウンリンクチャネルの処理を向上させるために前記ブラインド検出または前記ブラインド復号の結果を使用するための手段とを備える、装置。
［Ｃ２７］
前記ＰＲＢ中で前記ＵＥに送信された少なくとも１つのダウンリンクチャネルの処理を向上させるために前記ブラインド検出または前記ブラインド復号の結果を使用するための前記手段が、前記少なくとも１つのダウンリンクチャネルを処理するときに雑音推定を実行するために前記結果を使用するための手段を備える、Ｃ２６に記載の装置。
［Ｃ２８］
前記ＰＲＢ中で前記ＵＥに送信された少なくとも１つのダウンリンクチャネルの処理を向上させるために前記ブラインド検出または前記ブラインド復号の結果を使用するための手段が、
前記他のＵＥのうちの１つまたは複数を対象とする１つまたは複数のダウンリンクチャネルから干渉を消去するために前記結果を使用するための手段を備える、Ｃ２６に記載の装置。
［Ｃ２９］
前記ダウンリンクチャネルが物理ダウンリンク共有チャネル（ＰＤＳＣＨ）を備える、Ｃ２６に記載の装置。
［Ｃ３０］
前記ダウンリンクチャネルが物理ダウンリンク制御チャネル（ＰＤＣＣＨ）を備える、Ｃ２６に記載の装置。
［Ｃ３１］
前記ダウンリンクチャネルが、前記ＰＲＢの小部分のみを占有する拡張ＰＤＣＣＨ（ｅＰＤＣＣＨ）を備え、
複数のＵＥのための複数のｅＰＤＣＣＨが前記ＰＲＢ中で多重化される、Ｃ３０に記載の装置。
［Ｃ３２］
仮想セルＩＤの前記サブセットに基づいて復調基準信号（ＤＭ−ＲＳ）シーケンスを生成するための手段と、
前記ＰＲＢ中の対応するＤＭ−ＲＳシーケンスを検出するために前記ブラインド検出または前記ブラインド復号を実行するための手段とをさらに備える、Ｃ２６に記載の装置。
［Ｃ３３］
仮想セルＩＤの前記使用が可能にされるか否かを示すシグナリングを受信するための手段をさらに備える、Ｃ２６に記載の装置。
［Ｃ３４］
仮想セルＩＤのサブセットを判断するための手段が、
前記ＵＥと前記他のＵＥとが使用し得る仮想セルＩＤの１つまたは複数のセットのブロードキャストを受信するための手段を備える、Ｃ２６に記載の装置。
［Ｃ３５］
仮想ＩＤの前記１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットとを備える、Ｃ３４に記載の装置。
［Ｃ３６］
仮想セルＩＤのサブセットを判断するための手段が、
物理セルＩＤに基づいて前記サブセット中の仮想ＩＤを導出するための手段を備える、Ｃ２６に記載の装置。
［Ｃ３７］
ブラインド検出またはブラインド復号のうちの少なくとも１つを実行するために仮想セルＩＤの前記サブセットを使用するための手段が、チャネル状態情報基準信号（ＣＳＩ−ＲＳ）を検出するために仮想セルＩＤの前記サブセットを使用するための手段を備える、Ｃ２６に記載の装置。
［Ｃ３８］
基地局によるワイヤレス通信のための装置であって、
１つまたは複数のＵＥが使用するために利用可能な仮想セルＩＤのサブセットをシグナリングするための手段と、前記サブセットが仮想セルＩＤのより大きいセットから選択される、
前記サブセットから選択された仮想ＩＤを用いて１つまたは複数の個々のＵＥを構成するための手段と、
前記選択された仮想ＩＤを使用して、同じ物理リソースブロック（ＰＲＢ）中の複数のＵＥのためのダウンリンクチャネルを多重化するための手段とを備える、装置。
［Ｃ３９］
前記ダウンリンクチャネルが物理ダウンリンク共有チャネル（ＰＤＳＣＨ）を備える、Ｃ３８に記載の装置。
［Ｃ４０］
前記ダウンリンクチャネルが物理ダウンリンク制御チャネル（ＰＤＣＣＨ）を備える、Ｃ３８に記載の装置。
［Ｃ４１］
前記ダウンリンクチャネルは、各々が前記ＰＲＢの小部分のみを占有する拡張ＰＤＣＣＨ（ｅＰＤＣＣＨ）を備える、Ｃ４０に記載の装置。
［Ｃ４２］
前記選択された仮想セルＩＤに基づいて復調基準信号（ＤＭ−ＲＳ）シーケンスを生成するための手段と、
前記ダウンリンクチャネルとともに前記ＤＭ−ＲＳシーケンスを送信するための手段とをさらに備える、Ｃ３８に記載の装置。
［Ｃ４３］
仮想セルＩＤの前記使用が可能にされるか否かを示すシグナリングを送信するための手段をさらに備える、Ｃ３８に記載の装置。
［Ｃ４４］
シグナリングするための前記手段が、
仮想セルＩＤのサブセットをブロードキャストするための手段を備える、Ｃ３８に記載の装置。
［Ｃ４５］
仮想ＩＤの１つまたは複数のセットが、
物理ダウンリンク共有チャネル（ＰＤＳＣＨ）を送信する際に使用する第１のセットと、
物理ダウンリンク制御チャネル（ＰＤＣＣＨ）を送信する際に使用する第２のセットとを備える、Ｃ４４に記載の装置。
［Ｃ４６］
物理セルＩＤに基づいて前記サブセット中の仮想ＩＤを導出するための手段をさらに備える、Ｃ３８に記載の装置。
［Ｃ４７］
仮想セルＩＤの前記サブセットは、異なるセル中のＵＥが使用するために利用可能な仮想セルＩＤを備える、Ｃ４６に記載の装置。
［Ｃ４８］
前記選択された仮想ＩＤを使用してチャネル状態情報基準信号（ＣＳＩ−ＲＳ）を送信するための手段をさらに備える、Ｃ３８に記載の装置。
［Ｃ４９］
前記同じＰＲＢ中の異なるＵＥのための送信が、共通仮想セルＩＤまたは仮想セルＩＤの共通セットからの仮想セルＩＤのうちの少なくとも１つを使用する、Ｃ３８に記載の装置。
［Ｃ５０］
仮想セルＩＤに関する情報を他の基地局と交換するための手段と、
交換された前記情報に基づいて仮想セルＩＤの使用を調整するための手段とをさらに備える、Ｃ３８に記載の装置。
［Ｃ５１］
ユーザ機器（ＵＥ）によるワイヤレス通信のための装置であって、
１つまたは複数の他のＵＥが使用するために利用可能な仮想セルＩＤのサブセットを判断することと、前記サブセットが仮想セルＩＤのより大きいセットから選択される、他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、前記ＰＲＢ中で前記ＵＥに送信された少なくとも１つのダウンリンクチャネルの処理を向上させるために前記ブラインド検出または前記ブラインド復号の結果を使用することとを行うように構成された少なくとも１つのプロセッサと、
前記少なくとも１つのプロセッサに結合されたメモリとを備える、装置。
［Ｃ５２］
基地局によるワイヤレス通信のための装置であって、
１つまたは複数のＵＥが使用するために利用可能な仮想セルＩＤのサブセットをシグナリングすることと、前記サブセットが仮想セルＩＤのより大きいセットから選択される、前記サブセットから選択された仮想ＩＤを用いて１つまたは複数の個々のＵＥを構成することと、前記選択された仮想ＩＤを使用して、同じ物理リソースブロック（ＰＲＢ）中の複数のＵＥのためのダウンリンクチャネルを多重化することとを行うように構成された少なくとも１つのプロセッサと、
前記少なくとも１つのプロセッサに結合されたメモリとを備える、装置。
［Ｃ５３］
ユーザ機器（ＵＥ）によるワイヤレス通信のためのコンピュータプログラム製品であって、
１つまたは複数の他のＵＥが使用するために利用可能な仮想セルＩＤのサブセットを判断することと、前記サブセットが仮想セルＩＤのより大きいセットから選択される、
他のＵＥを対象とする物理リソースブロック（ＰＲＢ）内の送信を検出するために、ブラインド検出またはブラインド復号のうちの少なくとも１つを実行するために仮想セルＩＤの前記サブセットを使用することと、
前記ＰＲＢ中で前記ＵＥに送信された少なくとも１つのダウンリンクチャネルの処理を向上させるために前記ブラインド検出または前記ブラインド復号の結果を使用することとを行うための命令を記憶したコンピュータ可読媒体を備える、コンピュータプログラム製品。
［Ｃ５４］
基地局によるワイヤレス通信のためのコンピュータプログラム製品であって、
１つまたは複数のＵＥが使用するために利用可能な仮想セルＩＤのサブセットをシグナリングすることと、前記サブセットが仮想セルＩＤのより大きいセットから選択される、
前記サブセットから選択された仮想ＩＤを用いて１つまたは複数の個々のＵＥを構成することと、
前記選択された仮想ＩＤを使用して、同じ物理リソースブロック（ＰＲＢ）中の複数のＵＥのためのダウンリンクチャネルを多重化することとを行うための命令を記憶したコンピュータ可読媒体を備える、コンピュータプログラム製品。